Podtech/llm-jp-corpus-v4-ja_patent huggingface dataset:
【手続補正書】
【提出日】平成26年3月18日(2014.3.18)
【手続補正１】
【補正対象書類名】特許請求の範囲
【補正対象項目名】全文
【補正方法】変更
【補正の内容】
【特許請求の範囲】
【請求項１】
気道炎症の縮小を必要とする患者の気道炎症を低減させる方法において使用するための、ＩＬ−１Ｒ１と特異的に結合してＩＬ−１Ｒ１を阻害する抗体を含む組成物であって、該患者は慢性閉塞性肺疾患（ＣＯＰＤ）増悪を有する患者であり、該方法は、該組成物の有効量を該患者に投与し、これにより該患者の気道炎症を低減させることを含む、上記組成物。
【請求項２】
ＩＬ−１αシグナル伝達の低減を必要とする患者のＩＬ−１αシグナル伝達を低減させる方法において使用するための、ＩＬ−１Ｒ１と特異的に結合して該ＩＬ−１Ｒ１を阻害する抗体を含む組成物であって、該患者は慢性閉塞性肺疾患（ＣＯＰＤ）増悪を有する患者であり、該方法は、該組成物の有効量を該患者に投与し、これにより該患者のＩＬ−１αシグナル伝達を低減させることを含む、上記組成物。
【請求項３】
前記抗体はＩＬ−１Ｒ１のＩＬ−１αへの、ＩＬ−１Ｒ１のＩＬ−１βへの、またはＩＬ−１Ｒ１のＩＬ−１αおよびＩＬ−１βの両方への結合を阻害する組み換え抗体である、請求項１または２に記載の組成物。
【請求項４】
気道炎症を低減させることは、肺への好中球流入の低減を含む、請求項１〜３のいずれかに記載の組成物。
【請求項５】
前記組み換え抗体はヒト抗体である、請求項１または２のいずれかに記載の組成物。
【請求項６】
前記方法はＣＯＰＤを治療するための治療計画の一部である、請求項１または２のいずれかに記載の組成物。
【請求項７】
前記ＣＯＰＤを治療するための治療計画はステロイドの投与を含む、請求項６に記載の組成物。
【請求項８】
前記ＣＯＰＤ増悪は煙により引き起こされる、請求項１または２のいずれかに記載の組成物。
【請求項９】
前記抗体は、Ｂｉａｃｏｒｅ（商標）で測定した場合に５０ｐＭ以下のＫＤでＩＬ−１Ｒ１と特異的に結合する、請求項１または２のいずれかに記載の組成物。
【請求項１０】
ＣＯＰＤ増悪の治療を必要とする患者のＣＯＰＤ増悪を治療する方法において使用するための、ＩＬ−１Ｒ１と特異的に結合してＩＬ−１Ｒ１のＩＬ−１αへの結合を阻害する抗体を含む組成物であって、該患者はウイルス感染または細菌感染に起因するＣＯＰＤ増悪を有する患者であり、該方法は、該組成物の有効量を、該患者に投与することを含む、上記組成物。
【請求項１１】
ＣＯＰＤ増悪の治療は気道炎症を低減させることを含む、請求項１０に記載の組成物。
【請求項１２】
ＣＯＰＤ増悪の治療は肺への好中球の流入を低減することを含む、請求項１０に記載の組成物。
【請求項１３】
前記抗体はＩＬ−１Ｒ１のＩＬ−１αへの、ＩＬ−１Ｒ１のＩＬ−１βへの、またはＩＬ−１Ｒ１のＩＬ−１αおよびＩＬ−１βの両方への結合を阻害する、請求項１０に記載の組成物。
【請求項１４】
前記抗体はヒト抗体である、請求項１０に記載の組成物。
【請求項１５】
前記ＣＯＰＤを治療するための治療計画は、さらにステロイドの投与を含む、請求項１０に記載の組成物。
【請求項１６】
前記抗体は、Ｂｉａｃｏｒｅ（商標）で測定した場合に５０ｐＭ以下のＫＤでＩＬ−１Ｒ１と特異的に結合する、請求項１０に記載の組成物。
【請求項１７】
前記組み換え抗体は抗体６であるか、または抗体６のＣＤＲを有する抗体である、請求項１０に記載の組成物。
【請求項１８】
前記組み換え抗体は、ＩＬ−１Ｒ１への結合に対してＩＬ−１Ｒａと競合する、請求項１０に記載の組成物。
【手続補正書】
【提出日】平成26年4月14日(2014.4.14)
【手続補正１】
【補正対象書類名】特許請求の範囲
【補正対象項目名】全文
【補正方法】変更
【補正の内容】
【特許請求の範囲】
【請求項１】
眼症状を治療するための眼内注入物であって、該注入物が、眼の眼症状の症状を予防あるいは緩和するのに有効な量のプロスタミドを放出する生物分解性ポリマーマトリクスと組み合わせて、プロスタミドを含有し、ここで、該眼症状が眼圧上昇であり、該注入物がシュレム管からの眼の流出経路を拡張するために前眼房内に入れられる、眼内注入物。
【請求項２】
前記注入物が上強膜及び結膜静脈叢を拡張するために前眼房内に入れられる、請求項１記載の眼内注入物。
【請求項３】
前記注入物が６時方向の位置に入れられて、それによって対流を通じて前部領域全体にわたってプロスタミドがよく混合される、請求項１記載の眼内注入物。
【請求項４】
前記注入物が眼の前眼房に入れられる、請求項１記載の眼内注入物。
【請求項５】
前記注入物が眼の虹彩角膜角に入れられる、請求項１記載の眼内注入物。
【請求項６】
前記注入物が眼球注入物送達装置を用いて眼に入れられる、請求項１記載の眼内注入物であって、該眼球注入物送達装置が、（ａ）外壁と、近接端と、近接端開口部と、遠端と、遠端開口部と、その内部を通じて延びているルーメンを有するカニューラ；(ｂ)眼内に挿入するのに適した寸法と構造を有しており、ルーメン内に配置される眼内注入物、および（ｃ）遠端が閉鎖されており、上記カニューラの外壁と直接接触しており、カニューラの遠端及び遠端開口部を覆っており、カニューラが眼に入れられた際にそのカニューラの遠端及び遠端開口部が通過できるような構造になっているキャップを含んでなる、眼内注入物。
【請求項７】
前記ビマトプロストが化学式（１）
【化１】
2013525302.tif 000001
［式中、点線部分の結合は、単結合か二重結合であり、シスあるいはトランス配置であり、
Ａは２〜６個の炭素原子を有するアルキレン又はアルケニレン基であり、１つ以上のオキシド基が介在していてもよく、１つ以上のヒドロキシ、オキソ、アルコキシ、あるいはアルキルカルボキシ基で置換されていてもよく、該アルキル基は１〜６個の炭素原子を含んでおり；
Ｂは３−７個の炭素原子を有するシクロアルキル基、または４〜１０個の炭素原子を有し、ヘテロ原子が窒素、酸素及び硫黄原子から成る群から選択されるハイドロカルビルアリール及びヘテロアリールから成る群から選択されるアリール基であり；
Ｘは−Ｎ（Ｒ４）２で、Ｒ４は水素と１〜６個の炭素原子を有する低級アルキル基から成る群から独立に選択され；
Ｚは＝Ｏであり、Ｒ１及びＲ２のうちの１つは＝Ｏ、−ＯＨあるいは−Ｏ（ＣＯ）Ｒ６基であり、他方が−ＯＨあるいは−Ｏ（ＣＯ）Ｒ６基であるか、あるいはＲ１が＝Ｏで、Ｒ２がＨであって、Ｒ６は１〜２０個の炭素原子を有する飽和または不飽和の非環式炭化水素基か、あるいは、−（ＣＨ２）ｍＲ７で、ｍは０〜１０であり、Ｒ７が３〜７個の炭素原子を有するシクロアルキル基であるか、または前記ハイドロカルビルアリールまたはヘテロアリールである］
で示される化合物、あるいはその薬学的に許容される塩である、請求項１記載の眼内注入物。
【請求項８】
前記プロスタミドが次式（ＩＩ）
【化２】
2013525302.tif 000002
［式中、ｙは０または１であり、ｘは０または１であって、ｘ＋ｙは両方が１ではなく、Ｙはアルキル、ハロ、ニトロ、アミノ、チオール、ヒドロキシ、アルキルオキシ、アルキルカルボキシ、及びハロ置換アルキルから成る群から選択される基であり、前記アルキル基は１〜６個の炭素原子を含んでおり、ｎは０であるか、あるいは１〜３の範囲の整数であり、Ｒ３は＝Ｏ、−ＯＨ又は−Ｏ（ＣＯ）Ｒ６基であり、斜線部分はアルファ配置を示し、黒塗りの三角形はベータ配置を示している］
を有する、請求項１記載の眼内注入物。
【請求項９】
前記プロスタミドがビマトプロスト、その塩、及びその混合物を含む、請求項８記載の眼内注入物。
【請求項１０】
眼圧が基底レベルから少なくとも約６０％低下する、請求項９記載の眼内注入物。
【請求項１１】
眼圧が局所的なビマトプロストで得られるより大きく低下する、請求項９記載の眼内注入物。
【請求項１２】
プロスタミドの放出が眼に入れられてから少なくとも２週間は有効である、請求項１１記載の眼内注入物。
【請求項１３】
プロスタミドを用いて、シュレム管からの眼の流出経路を拡張することによって、患者の眼の眼圧を低下させるための眼内注入物。
【請求項１４】
眼症状を治療するための眼内注入物であって、該注入物が、眼の眼症状の症状を予防あるいは緩和するのに有効な量のプロスタグランジンまたはそのプロドラッグを放出する生物分解性ポリマーマトリクスと組み合わせて、プロスタグランジンあるいはそのプロドラッグを含有し、ここで、該眼症状が眼圧上昇であり、該注入物がシュレム管からの眼の流出経路を拡張するために前眼房内に入れられる、眼内注入物。
【請求項１５】
前記プロスタグランジンあるいはそのプロドラッグがラタノプロストを含んでなる、請求項１４記載の眼内注入物。
【請求項１６】
患者の上昇した眼圧を低下させるのに有効な薬物を用いて、シュレム管からの眼の流出経路を拡張することにより、患者の眼の眼圧を低下させるための眼内注入物。
【手続補正書】
【提出日】平成26年4月15日(2014.4.15)
【手続補正１】
【補正対象書類名】特許請求の範囲
【補正対象項目名】全文
【補正方法】変更
【補正の内容】
【特許請求の範囲】
【請求項１】
ＩＬ−２０受容体を介するシグナリング経路に関連した障害を治療するための医薬組成物であって、ＩＬ−２０受容体の活性を抑制する剤の有効量を含む、前記医薬組成物。
【請求項２】
障害が、骨粗しょう症、腎不全、糖尿病性腎症、関節リウマチ、口腔がん、食道がん、乳がん、がん誘導性の骨溶解、または虚血性脳卒中である、請求項１に記載の医薬組成物。
【請求項３】
剤が、ＩＬ−２０受容体に結合し中和する抗体、ＩＬ−２０受容体のアンチセンス核酸、ＩＬ−２０受容体を阻害する小分子、またはＩＬ−１９、ＩＬ−２０もしくはＩＬ−２４であるサイトカインのドミナントネガティブ突然変異体である、請求項１または２に記載の医薬組成物。
【請求項４】
障害が、骨粗しょう症、腎不全、または糖尿病性腎症である、請求項３に記載の医薬組成物。
【請求項５】
剤が、ＩＬ−２０Ｒ１に結合する抗体である、請求項１、２または４に記載の医薬組成物。
【請求項６】
抗体が、免疫グロブリン分子全体、その抗原結合断片、ヒト化抗体、キメラ抗体、またはｓｃＦｖである、請求項５に記載の医薬組成物。
【請求項７】
抗体が、ＩＬ−２０Ｒ１とＩＬ−１９またはＩＬ−２０との双方に結合する二重特異性抗体である、請求項５に記載の医薬組成物。
【請求項８】
抗体が、（ｉ）ｍＡｂ７ＧＷモノクローナル抗体の重鎖可変領域の相補性決定領域（ＣＤＲ）と同じものを含む重鎖可変領域およびｍＡｂ７ＧＷの軽鎖可変領域のＣＤＲと同じものを含む軽鎖可変領域；または（ii）ｍＡｂ５１Ｄモノクローナル抗体の重鎖可変領域のＣＤＲと同じものを含む重鎖可変領域およびｍＡｂ５１Ｄの軽鎖可変領域のＣＤＲと同じものを含む軽鎖可変領域、を含む、請求項５に記載の医薬組成物。
【請求項９】
抗体が、（ｉ）ｍＡｂ７ＧＷの重鎖可変領域および軽鎖可変領域；または（ii）ｍＡｂ５１Ｄの重鎖可変領域および軽鎖可変領域、を含む、請求項５に記載の医薬組成物。
【請求項１０】
抗体が、ｍＡｂ７ＧＷまたはｍＡｂ５１Ｄのヒト化抗体である、請求項５に記載の医薬組成物。
【請求項１１】
剤が、ＩＬ−２０Ｒ１を標的にするアンチセンスＲＮＡである、請求項１、２または４に記載の医薬組成物。
【請求項１２】
アンチセンスＲＮＡが、ＩＬ−２０Ｒ１の発現を抑制するｓｉＲＮＡである、請求項１１に記載の医薬組成物。
【請求項１３】
障害が、骨粗しょう症である、請求項１、２または４に記載の医薬組成物。
【請求項１４】
抗体が、ＩＬ−２０Ｒ１に結合する、請求項１３に記載の医薬組成物。
【請求項１５】
抗体が、免疫グロブリン分子全体、その抗原結合断片、ヒト化抗体、キメラ抗体、またはｓｃＦｖである、請求項１４に記載の医薬組成物。
【請求項１６】
抗体が、（ｉ）ｍＡｂ７ＧＷモノクローナル抗体の重鎖可変領域の相補性決定領域（ＣＤＲ）と同じものを含む重鎖可変領域およびｍＡｂ７ＧＷの軽鎖可変領域のＣＤＲと同じものを含む軽鎖可変領域；または（ii）ｍＡｂ５１Ｄモノクローナル抗体の重鎖可変領域のＣＤＲと同じものを含む重鎖可変領域およびｍＡｂ５１Ｄの軽鎖可変領域のＣＤＲと同じものを含む軽鎖可変領域、を含む、請求項１４に記載の医薬組成物。
【請求項１７】
抗体が、（ｉ）ｍＡｂ７ＧＷの重鎖可変領域および軽鎖可変領域；または（ii）ｍＡｂ５１Ｄの重鎖可変領域および軽鎖可変領域、を含む、請求項１６に記載の医薬組成物。
【請求項１８】
抗体が、ｍＡｂ７ＧＷまたはｍＡｂ５１Ｄのヒト化抗体である、請求項１４に記載の医薬組成物。
【請求項１９】
ＩＬ−２０Ｒ１に結合する、単離された抗体であって、
該抗体が、（ｉ）ｍＡｂ７ＧＷモノクローナル抗体の重鎖可変領域の相補性決定領域（ＣＤＲ）と同じものを含む重鎖可変領域およびｍＡｂ７ＧＷの軽鎖可変領域のＣＤＲと同じものを含む軽鎖可変領域；または（ii）ｍＡｂ５１Ｄモノクローナル抗体の重鎖可変領域のＣＤＲと同じものを含む重鎖可変領域およびｍＡｂ５１Ｄの軽鎖可変領域のＣＤＲと同じものを含む軽鎖可変領域、を含む、前記抗体。
【請求項２０】
抗体が、（ｉ）ｍＡｂ７ＧＷの重鎖可変領域および軽鎖可変領域；または（ii）ｍＡｂ５１Ｄの重鎖可変領域および軽鎖可変領域、を含む、請求項１９に記載の単離された抗体。
【請求項２１】
抗体が、ｍＡｂ７ＧＷもしくはｍＡｂ５１Ｄ、またはそれらの抗原結合断片である、請求項２０に記載の単離された抗体。
【請求項２２】
抗体が、キメラ抗体または一本鎖抗体である、請求項１９に記載の単離された抗体。
【請求項２３】
ＩＬ−２０Ｒ１に結合する、単離された抗体であって、該抗体が、ｍＡｂ７ＧＷまたはｍＡｂ５１Ｄのヒト化抗体である、前記単離された抗体。
【手続補正書】
【提出日】平成26年4月30日(2014.4.30)
【手続補正１】
【補正対象書類名】特許請求の範囲
【補正対象項目名】全文
【補正方法】変更
【補正の内容】
【特許請求の範囲】
【請求項１】
酸化剤、および
エオシンＹ
を含むことを特徴とする組成物。
【請求項２】
請求項１に記載の組成物において、前記酸化剤が過酸化物、過酸、過酸化水素、過酸化尿素、アルカリ金属過酸化物、アルカリ金属過炭酸塩、ペルオキシ酢酸およびアルカリ金属過ホウ酸塩から選択されることを特徴とする組成物。
【請求項３】
請求項１又は２に記載の組成物が、加速剤をさらに含むことを特徴とする組成物。
【請求項４】
請求項３に記載の組成物において、前記加速剤が過ホウ酸ナトリウムであることを特徴とする組成物。
【請求項５】
請求項１乃至４の何れか１項に記載の組成物が、増粘剤をさらに含むことを特徴とする組成物。
【請求項６】
請求項５に記載の組成物において、前記増粘剤がシリカ−アルミナ酸化物、ヒュームドシリカ、カルボマー、トリエタノールアミン、ポリ（エチレンオキサイド）、アミドスターチ、および二酸化ケイ素から選択されることを特徴とする組成物。
【請求項７】
請求項１乃至６の何れか１項に記載の組成物が、ゲル化剤をさらに含むことを特徴とする組成物。
【請求項８】
請求項７に記載の組成物において、前記ゲル化剤が親水性であることを特徴とする組成物。
【請求項９】
請求項８に記載の組成物において、前記ゲル化剤が加工デンプンであることを特徴とする組成物。
【請求項１０】
請求項１乃至９の何れか１項に記載の組成物において、ｐＨが約８〜約１０、約５〜約７、または約４〜約１０であることを特徴とする組成物。
【請求項１１】
請求項１乃至１０の何れか１項に記載の組成物において、当該組成物が透明または半透明のゲルであることを特徴とする組成物。
【請求項１２】
請求項１乃至１１の何れか１項に記載の組成物が、前記酸化剤を安定化するための安定化剤をさらに含むことを特徴とする組成物。
【請求項１３】
請求項１２に記載の組成物において、前記安定化剤が抗酸化剤、金属キレート剤、またはｐＨ調節剤であることを特徴とする組成物。
【請求項１４】
請求項１３に記載の組成物において、前記安定化剤が酢酸ナトリウム、ＥＤＴＡ、亜硫酸ナトリウム、スズ塩、リン酸、およびスズスルホン酸塩から選択されることを特徴とする組成物。
【請求項１５】
請求項１乃至１４の何れか１項に記載の組成物において、前記組成物中約０．０２％〜約１２重量パーセントのエオシンＹがあることを特徴とする組成物。
【請求項１６】
歯のホワイトニングまたは歯の増白のための請求項１乃至１５の何れか１項に記載の組成物の使用。
【請求項１７】
患者の歯肉内の歯を生体内で白くするための方法であって、
少なくとも１本の歯に、
酸化剤、および
エオシンＹ
を含む組成物を塗付するステップと、
前記組成物を作用光に暴露させるステップと、
を含むことを特徴とする方法。
【請求項１８】
請求項１７に記載の方法において、前記組成物を、２０分未満、作用光に暴露させることを特徴とする方法。
【請求項１９】
請求項１７または１８に記載の方法において、前記組成物の前記作用光への暴露が、歯１本当たり２０秒未満であることを特徴とする方法。
【請求項２０】
請求項１７乃至１９の何れか１項に記載の方法において、前記組成物を作用光に複数回暴露させることを特徴とする方法。
【請求項２１】
請求項１７乃至２０の何れか１項に記載の方法において、前記作用光の波長が約４７０ｎｍ〜約５２０ｎｍであることを特徴とする方法。
【請求項２２】
エオシンＹを含む第１の成分、および
酸化剤を含む第２の成分
を含むことを特徴とするキット。
【請求項２３】
請求項２２に記載のキットが、前記第１および第２の成分を混合するための用具、前記混合した第１および第２の成分を前記少なくとも１本の歯に塗付するための用具、光源、組成物の効果を評価するための資料、またはその組合せをさらに含むことを特徴とするキット。
【請求項２４】
請求項２３に記載のキットにおいて、前記光源が約４７０ｎｍ〜約５２０ｎｍの波長の光を発光可能であることを特徴とする方法。
【請求項２５】
請求項２２または２３に記載のキットが、ホワイトニング効果を得るために、前記混合した第１および第２の成分の塗付時間を決定するための使用説明書をさらに含むことを特徴とするキット。
【請求項２６】
請求項２２乃至２５の何れか１項に記載のキットにおいて、前記第１の成分および前記第２の成分が組合せで、透明または半透明のゲルを形成することを特徴とするキット。
【請求項２７】
請求項２２乃至２６の何れか１項に記載のキットにおいて、過酸化物、過酸、過酸化水素、過酸化尿素、アルカリ金属過酸化物、アルカリ金属過炭酸塩、ペルオキシ酢酸およびアルカリ金属過ホウ酸塩から選択されることを特徴とするキット。
【請求項２８】
請求項２２乃至２７の何れか１項に記載のキットが、加速剤をさらに含むことを特徴とするキット。
【請求項２９】
請求項２８に記載のキットにおいて、前記加速剤が過ホウ酸ナトリウムであることを特徴とするキット。
【請求項３０】
請求項２２乃至２９の何れか１項に記載のキットが、増粘剤をさらに含むことを特徴とするキット。
【請求項３１】
請求項３０に記載のキットにおいて、前記増粘剤がシリカ−アルミナ酸化物、ヒュームドシリカ、カルボマー、トリエタノールアミン、ポリ（エチレンオキサイド）、アミドスターチ、および二酸化ケイ素から選択されることを特徴とするキット。
【請求項３２】
請求項２２乃至３１の何れか１項に記載のキットが、ゲル化剤をさらに含むことを特徴とするキット。
【請求項３３】
請求項３２に記載のキットにおいて、前記ゲル化剤が親水性であることを特徴とするキット。
【請求項３４】
請求項３２または３３に記載のキットにおいて、前記ゲル化剤が加工デンプンであることを特徴とするキット。
【請求項３５】
請求項２２乃至３４の何れか１項に記載のキットが、前記酸化剤を安定化するための安定化剤をさらに含むことを特徴とするキット。
【請求項３６】
請求項３５に記載のキットにおいて、前記安定化剤が抗酸化剤、金属キレート剤、またはｐＨ調節剤であることを特徴とするキット。
【請求項３７】
請求項３６に記載のキットにおいて、前記安定化剤が酢酸ナトリウム、ＥＤＴＡ、亜硫酸ナトリウム、スズ塩、リン酸、およびスズスルホン酸塩から選択されることを特徴とするキット。
【請求項３８】
歯のホワイトニングまたは歯の増白のための請求項２２乃至３７の何れか１項に記載のキットの使用。
【手続補正書】
【提出日】平成26年4月14日(2014.4.14)
【手続補正１】
【補正対象書類名】明細書
【補正対象項目名】０１９５
【補正方法】変更
【補正の内容】
【０１９５】
用語「抗凝固療法因子」は、本明細書で使用される場合、患者が抗凝固療法を必要とするかどうかを決定するのに有用であるパラメータを指す。抗凝固療法因子は、限定されないが、プロトロンビン時間（ＰＴ）、国際標準比（ＩＮＲ）、修正されたＡＴＦ（ＭＡＴＦ）、訂正されたＡＴＦ（ＣＡＴＦ）、プロトロンビン比（ＰＲ）及びフィブリノゲン変換率（ＦＴＲ）が含まれる。
【手続補正２】
【補正対象書類名】特許請求の範囲
【補正対象項目名】全文
【補正方法】変更
【補正の内容】
【特許請求の範囲】
【請求項１】
プロコアグラント活性を有するＴＦ担持微小胞の調製方法であって、
（ｉ）真核細胞内でＴＦ又はプロコアグラント活性を有するその変異体を発現させ、
（ｉｉ）工程（ｉ）の細胞からＴＦ担持微小胞を回収し、
（ｉｉｉ）負に荷電したリン脂質と工程（ｉｉ）で得られた小胞を、該リン脂質の前記小胞への取込みに適した条件下で接触させること
を含み、
前記微小胞が、前記真核細胞に由来する、脂質膜、又はその断片により形成される方法。
【請求項２】
プロコアグラント活性を有するＴＦ担持微小胞の調製方法であって、
（ｉ）真核細胞から得られた脂質微小胞を提供し、
（ｉｉ）ＴＦタンパク質又はプロコアグラント活性を持つその変異体を（ｉ）に記載される脂質微小胞と、前記ＴＦタンパク質又はその変異体の前記微小胞への取込みに適した条件下で、接触させ、
（ｉｉｉ）負に荷電したリン脂質と工程（ｉｉ）で得られた小胞を、該リン脂質の前記小胞への取込みに適した条件下で接触させる
ことを含み、
工程（ｉｉ）及び（ｉｉｉ）は任意の順序で行うことができ、前記微小胞が、前記真核細胞に由来する、脂質膜、又はその断片により形成される方法。
【請求項３】
真核細胞が、酵母細胞である、請求項１又は２の何れかに記載の方法。
【請求項４】
接触工程が、微小胞のタンパク質含量が５０ｍｉｃｒｏｇを下回る、０．０５μｍｏｌの負に荷電したリン脂質、及び微小胞のタンパク質含量が５０ｍｉｃｒｏｇを上回る、０．１μｍｏｌの負に荷電したリン脂質を用いて行われる、請求項１から３の何れかに記載の方法。
【請求項５】
負に荷電したリン脂質が、スフィンゴシン含有リン脂質又はグリセロール含有リン脂質からなる群から選択される、請求項１から４の何れかに記載の方法。
【請求項６】
グリセロール含有リン脂質がホスファチジルセリンである請求項５に記載の方法。
【請求項７】
前記ＴＦ又はプロコアグラント活性を有するその変異体がグリコシル化されている、請求項１から６の何れかに記載の方法。
【請求項８】
ＴＦが成熟ＴＦタンパク質、好ましくは、ヒト成熟ＴＦタンパク質である、請求項１から７の何れかに記載の方法。
【請求項９】
ＴＦが、Ｎ１２４Ａ変異、及びＣ末端にヒスチジンタグを保有する、請求項８に記載の方法。
【請求項１０】
請求項１から９の何れかに記載の方法を使用して得られるＴＦ担持微小胞。
【請求項１１】
請求項１０に記載のＴＦ担持微小胞と薬学的に許容されるビヒクルを含有する薬学的組成物。
【請求項１２】
少なくとも凝固促進剤を更に含有する請求項１１に記載の薬学的組成物。
【請求項１３】
組成物が凍結乾燥されている、請求項１１又は１２の何れかに記載の薬学的組成物。
【請求項１４】
医薬として使用のための、請求項１０に記載のＴＦ担持微小胞、又は請求項１１又は１２の何れかに記載の薬学的組成物。
【請求項１５】
創傷治癒を促進するため、又は血管新生関連疾患の治療のために、出血の治療において使用のための、請求項１０に記載のＴＦ担持微小胞、又は請求項１１又は１２の何れかに記載の薬学的組成物。
【請求項１６】
出血が健常被検体及び出血性素因を有する被験体の群から選択される被検体で治療され、前記出血性素因が先天性凝固障害、後天性凝固障害、血小板障害及びそれらの組み合わせからなる群から選択される、請求項１５に記載の使用のためのＴＦ担持微小胞又は薬学的組成物。
【請求項１７】
ＴＦ担持微小胞又は薬学的組成物が局所的に投与される、請求項１５又は１６の何れかに記載の使用のためのＴＦ担持微小胞又は薬学的組成物。
【請求項１８】
試料中のプロトロンビン時間を決定するための請求項１０に記載のＴＦ担持微小胞の使用。
【請求項１９】
請求項１０に記載の微小胞を含む、プロトロンビン時間を決定するためのキット。
【手続補正書】
【提出日】平成26年3月10日(2014.3.10)
【手続補正１】
【補正対象書類名】特許請求の範囲
【補正対象項目名】全文
【補正方法】変更
【補正の内容】
【特許請求の範囲】
【請求項１】
尿路上皮透過性を低下させるのに有効な単位用量のHB-EGFを含む、滴下注入により該対象の尿路上皮に送達されるように用いられることを特徴とする、尿路上皮透過性の亢進と関連する状態を有する対象を処置するための薬学的組成物。
【請求項２】
前記状態が、カリウム感受性試験における感受性を特徴とする、請求項1記載の薬学的組成物。
【請求項３】
前記状態が間質性膀胱炎である、請求項1記載の薬学的組成物。
【請求項４】
前記HB-EGFが、SEQ ID NO:2を有するヒトHB-EGFである、請求項1記載の薬学的組成物。
【請求項５】
前記HB-EGFが50mg〜200mgの単位用量で送達されるように用いられることを特徴とする、請求項1記載の薬学的組成物。
【請求項６】
水性ビヒクルを含む、請求項1記載の薬学的組成物。
【請求項７】
10mL〜100mLの体積を有する、請求項6記載の薬学的組成物。
【請求項８】
50〜200 mgの単位用量のHB-EGFと、25〜75mLの体積を有する水性ビヒクルとを含む、請求項1記載の薬学的組成物。
【請求項９】
それを必要とする対象において尿路上皮の透過性を低下させるのに有効な単位用量のHB-EGFと、10mL〜100mLの範囲の体積を有する水性ビヒクルとを含む、薬学的組成物。
【請求項１０】
前記水性ビヒクルがリン酸緩衝生理食塩水である、請求項9記載の薬学的組成物。
【請求項１１】
前記HB-EGFがヒトHB-EGF(74-148)である、請求項9記載の薬学的組成物。
【請求項１２】
50mg〜200mgのヒトHB-EGF(74-148)と、体積25mL〜75mLの水性ビヒクルとを含む、請求項10記載の薬学的組成物。
【請求項１３】
異常な尿路上皮透過性と関連する状態を有する対象を処置するのに有用なキットであって、膀胱への滴下注入により尿路上皮透過性を低下させるのに有効な単位用量のHB-EGFと、該状態を処置するためのその使用説明書とを含む、キット。
【手続補正２】
【補正対象書類名】明細書
【補正対象項目名】００１３
【補正方法】変更
【補正の内容】
【００１３】
[本発明1001]
尿路上皮透過性の亢進と関連する状態を有する対象を処置するための方法であって、尿路上皮透過性を低下させるのに有効な単位用量のHB-EGFを含む組成物を、滴下注入により該対象の尿路上皮に送達する段階を含む、方法。
[本発明1002]
前記状態が、カリウム感受性試験における感受性を特徴とする、本発明1001の方法。
[本発明1003]
前記状態が間質性膀胱炎である、本発明1001の方法。
[本発明1004]
前記HB-EGFが、SEQ ID NO:2を有するヒトHB-EGFである、本発明1001の方法。
[本発明1005]
前記HB-EGFを50mg〜200mgの単位用量で送達する、本発明1001の方法。
[本発明1006]
前記組成物が水性ビヒクルを含む、本発明1001の方法。
[本発明1007]
前記組成物が10mL〜100mLの体積を有する、本発明1006の方法。
[本発明1008]
前記組成物が、50〜200 mgの単位用量のHB-EGFと、25〜75mLの体積を有する水性ビヒクルとを含む、本発明1001の方法。
[本発明1009]
それを必要とする対象において尿路上皮の透過性を低下させるのに有効な単位用量のHB-EGFと、10mL〜100mLの範囲の体積を有する水性ビヒクルとを含む、薬学的組成物。
[本発明1010]
前記水性ビヒクルがリン酸緩衝生理食塩水である、本発明1009の薬学的組成物。
[本発明1011]
前記HB-EGFがヒトHB-EGF(74-148)である、本発明1009の薬学的組成物。
[本発明1012]
50mg〜200mgのヒトHB-EGF(74-148)と、体積25mL〜75mLの水性ビヒクルとを含む、本発明1010の薬学的組成物。
[本発明1013]
異常な尿路上皮透過性と関連する状態を有する対象を処置するのに有用なキットであって、膀胱への滴下注入により尿路上皮透過性を低下させるのに有効な単位用量のHB-EGFと、該状態を処置するためのその使用説明書とを含む、キット。
本開示の他の特徴および利点が、以下の詳細な説明から明らかになると考えられる。しかしながら、本開示の趣旨および範囲内の種々の変化および改変が、この詳細な説明から当業者に明らかになると考えられるため、詳細な説明および具体例は本開示の好ましい態様を示すが、例証のためだけに与えられることが、理解されるべきである。
【手続補正書】
【提出日】平成26年8月8日(2014.8.8)
【手続補正１】
【補正対象書類名】明細書
【補正対象項目名】０００２
【補正方法】変更
【補正の内容】
【０００２】
ロゼンジは、通常砂糖から製造される砂糖菓子の形態であり、その砂糖は形状の優美な状態を低減させ、そして水及び結合剤、慣習的にゼラチン又はアラビアゴムのようなゴムと共に混練されてドウ状（ｄｏｕｇｈｌｙ）の稠度に調和される。そのドウは薄層状にされ、そしてその一方で依然として塑性状のドウは適当な形状に切断され、乾燥されて硬化される。健康的な生活を支援するものとしての低減されたカロリーの製品における高まる関心により、より低カロリーの砂糖菓子の市場が造り上げられており、これは、事実上、同じか又は同じ程度の甘さの低カロリー甘味料が、砂糖に取って代わっていることを意味している。
【手続補正２】
【補正対象書類名】明細書
【補正対象項目名】０００６
【補正方法】変更
【補正の内容】
【０００６】
本発明は、甘味料及び結合剤を含むロゼンジであって、該ロゼンジが、甘味料を少なくとも７０％ｗ／ｗ、好ましくは少なくとも８０％ｗ／ｗ、より好ましくは甘味料を少なくとも９０％ｗ／ｗ含み、そして該結合剤がイソマルトを含み、好ましくは該結合剤がイソマルトからなることを特徴とする、該ロゼンジに関する。
【手続補正３】
【補正対象書類名】明細書
【補正対象項目名】００３０
【補正方法】変更
【補正の内容】
【００３０】
本発明のロゼンジは、ＤＳＣ曲線における融解ピークを未だ示す。
【手続補正４】
【補正対象書類名】明細書
【補正対象項目名】００４９
【補正方法】変更
【補正の内容】
【００４９】
実施例３〜７−エリトリトール−イソマルトロゼンジ−イソマルトを含まないエリトリトールロゼンジとの比較及びハードキャンディー調製物との比較
比較例３：  エリトリトール（Ｚｅｒｏｓｅ  Ｔｕｒｂｏ  Ｍｉｌｌｅｄ（２６μｍ）（Ｃａｒｇｉｌｌより））＋ゼラチン溶液（１５０ｂｌ  （Ｒｏｕｓｅｌｏｔ））の１０％溶液
実施例４：  ９０％エリトリトール（Ｚｅｒｏｓｅ  Ｔｕｒｂｏ  Ｍｉｌｌｅｄ（２６μｍ）（Ｃａｒｇｉｌｌより））／１０％イソマルトＣ＊ＩｓｏＭａｌｔｉｄｅｘ  １６５０２（３３μｍ、Ｃａｒｇｉｌｌより）＋水
実施例５：  ８０％エリトリトール（Ｚｅｒｏｓｅ  Ｔｕｒｂｏ  Ｍｉｌｌｅｄ（２６μｍ）（Ｃａｒｇｉｌｌより））／２０％イソマルトＣ＊ＩｓｏＭａｌｔｉｄｅｘ  １６５０２（３３μｍ）＋水
実施例６：  ８０％エリトリトール（Ｚｅｒｏｓｅ  Ｔｕｒｂｏ  Ｍｉｌｌｅｄ（２６μｍ）（Ｃａｒｇｉｌｌより））／２０％イソマルトＣ＊ＩｓｏＭａｌｔｉｄｅｘ  １６５０２（３３μｍ）＋ゼラチン溶液（１５０ｂｌ  （Ｒｏｕｓｅｌｏｔ））の１０％溶液
実施例７：  ２０％エリトリトール（Ｚｅｒｏｓｅ  １６９５７（２６μｍ）（Ｃａｒｇｉｌｌより））／８０％イソマルトＣ＊ＩｓｏＭａｌｔｉｄｅｘ  １６５００（Ｃａｒｇｉｌｌより）＋水
【手続補正５】
【補正対象書類名】特許請求の範囲
【補正対象項目名】請求項１
【補正方法】変更
【補正の内容】
【請求項１】
甘味料及び結合剤を含むロゼンジであって、該ロゼンジが、甘味料を少なくとも７０％ｗ／ｗ、好ましくは少なくとも８０％ｗ／ｗ、より好ましくは甘味料を少なくとも９０％ｗ／ｗ含み、そして該結合剤が、イソマルトを含み、好ましくは該結合剤がイソマルトからなることを特徴とする、上記のロゼンジ。
【手続補正書】
【提出日】平成26年1月27日(2014.1.27)
【手続補正１】
【補正対象書類名】特許請求の範囲
【補正対象項目名】全文
【補正方法】変更
【補正の内容】
【特許請求の範囲】
【請求項１】
式Ｉ
【化１】
2013525317.tif 000001
の化合物の調製方法であって、
ａ）式ＩＩ
【化２】
2013525317.tif 000002
（式中、Ｘはクロロまたはブロモである）の化合物を不活性雰囲気中で有機金属種と反応させて式Ｘ
【化３】
2013525317.tif 000003
（式中、Ｘはクロロまたはブロモである）のハロベンジンにし；そのように形成された前記式Ｘのハロベンジンをシクロペンタジエンと反応させて式ＩＩＩ
【化４】
2013525317.tif 000004
（式中、Ｘはクロロまたはブロモである）の化合物にする工程と；
ｂ）前記式ＩＩＩの化合物を不活性溶媒の存在下でオキシダントと反応させて式ＩＶ
【化５】
2013525317.tif 000005
（式中、Ｘはクロロまたはブロモである）の化合物にする工程と；
ｃ）前記式ＩＶの化合物をルイス酸および水素化物源の存在下で反応させて式Ｖ
【化６】
2013525317.tif 000006
（式中、Ｘはクロロまたはブロモである）の化合物にする工程と；
ｄ）前記式Ｖの化合物を酸化剤、塩基および不活性溶媒の存在下で反応させて式ＶＩ
【化７】
2013525317.tif 000007
（式中、Ｘはクロロまたはブロモである）の化合物にする工程と；
ｅ）前記式ＶＩの化合物をホスファンおよびＣＣｌ4またはＣＨＣｌ3の存在下で式ＶＩＩ
【化８】
2013525317.tif 000008
（式中、Ｘはクロロまたはブロモである）の化合物に転化する工程と；
ｆ１）前記式ＶＩＩの化合物をパラジウムと少なくとも１つの配位子とを含む触媒の存在下でＮＨ3と反応させて式ＶＩＩＩ
【化９】
2013525317.tif 000009
の化合物にする工程、および
ｇ）前記式ＶＩＩＩの化合物を塩基の存在下で式ＩＸ
【化１０】
2013525317.tif 000010
の化合物と反応させて前記式Ｉの化合物にする工程；または
ｆ２）前記式ＶＩＩ
【化１１】
2013525317.tif 000011
（式中、Ｘはクロロまたはブロモである）の化合物を溶媒、塩基、銅触媒および少なくとも１つの配位子の存在下で式ＩＸａ
【化１２】
2013525317.tif 000012
の化合物と反応させて前記式Ｉの化合物にする工程のいずれか一方と
を包含する、方法。
【請求項２】
ａ）Ｘがブロモである請求項１に記載の式ＩＩの化合物を、式ＩＩＩの化合物と反応させる工程を包含する、請求項１に記載の方法。
【請求項３】
メタ−クロロ−過安息香酸が工程ｂ）におけるオキシダントとして使用される、請求項１に記載の方法。
【請求項４】
ＬｉＡｌＨ4が工程ｃ）において前記水素化物源として使用される、請求項１に記載の方法。
【請求項５】
前記式ＶＩＩの化合物をパラジウムと少なくとも１つの配位子とを含む触媒の存在下でＮＨ3と反応させて前記式ＶＩＩＩ
【化１３】
2013525317.tif 000013
の化合物にする工程、および前記式ＶＩＩＩの化合物を塩基の存在下で式ＩＸ
【化１４】
2013525317.tif 000014
の化合物と反応させて前記式Ｉの化合物にする工程を包含する、請求項１に記載の方法。
【請求項６】
工程ｅ）において、前記式ＶＩの化合物が、トリフェニルホスファンおよび四塩化炭素の存在下で前記式ＶＩＩの化合物に転化される、請求項１に記載の方法。
【請求項７】
式ＩＶ
【化１５】
2013525317.tif 000015
（式中、Ｘはクロロまたはブロモである）の化合物。
【請求項８】
式Ｖ
【化１６】
2013525317.tif 000016
（式中、Ｘはクロロまたはブロモである）の化合物。
【手続補正書】
【提出日】平成26年4月18日(2014.4.18)
【手続補正１】
【補正対象書類名】特許請求の範囲
【補正対象項目名】全文
【補正方法】変更
【補正の内容】
【特許請求の範囲】
【請求項１】
グリコサミノグリカンおよびヒアルロン酸から選択される少なくとも１種類のムコミメティックポリマー、
少なくとも１種類のリン脂質、
リン脂質以外の少なくとも１種類の脂質、
ポリビニルアルコールポリマー、ポリソルベートおよびセルロースポリマーから選択される少なくとも１種類の安定化ポリマー、および
水
を含んでなる、眼病の治療または予防に用いるための水中油型エマルション。
【請求項２】
少なくとも１種の眼科用の有効薬剤をさらに含んでなる、請求項１に記載のエマルション。
【請求項３】
眼の乾燥、眼のアレルギーおよび／または炎症の治療または予防に用いるための、請求項１または２に記載のエマルション。
【請求項４】
ムコミメティックポリマーを、組成物の総重量に対して０．０１重量％〜５重量％の濃度で含んでなる、請求項１〜３のいずれか一項に記載のエマルション。
【請求項５】
リン脂質が、ホスホアシルグリセリド、ホスホスフィンゴ脂質、ホスホノスフィンゴ脂質、ホスホグリコ脂質およびホスホサッカロ脂質から選択される、請求項１〜４のいずれか一項に記載のエマルション。
【請求項６】
リン脂質がレシチンから選択される、請求項１〜５のいずれか一項に記載のエマルション。
【請求項７】
リン脂質を、組成物の総重量に対して０．０１重量％〜３重量％の濃度で含んでなる、請求項１〜６のいずれか一項に記載のエマルション。
【請求項８】
リン脂質以外の脂質がグリセリドである、請求項１〜７のいずれか一項に記載のエマルション。
【請求項９】
リン脂質以外の脂質を、エマルションの総重量に対して０．０１重量％〜５重量％の濃度で含んでなる、請求項１〜８のいずれか一項に記載のエマルション。
【請求項１０】
セルロースポリマーが、メチルセルロース、エチルセルロース、ヒドロキシプロピルセルロースまたはカルボキシメチルセルロースである、請求項１〜９のいずれか一項に記載のエマルション。
【請求項１１】
安定化ポリマーを、エマルションの総重量に対して０．０１重量％〜５重量％の濃度で含んでなる、請求項１〜１０のいずれか一項に記載のエマルション。
【請求項１２】
界面活性剤および／または保存剤を含まない、請求項１〜１１のいずれか一項に記載のエマルション。
【請求項１３】
１０−１Ｐａ・ｓ以下の粘度を有する、請求項１〜１２のいずれか一項に記載のエマルション。
【請求項１４】
０〜５，０００ＮＴＵの濁度を有する、請求項１〜１３のいずれか一項に記載のエマルション。
【請求項１５】
５．５〜８のｐＨを有する、請求項１〜１４のいずれか一項に記載のエマルション。
【請求項１６】
脂肪球が２２０ｎｍ以下の大きさである、請求項１〜１５のいずれか一項に記載のエマルション。
【請求項１７】
浸透圧が１００〜３００ｍＯｓｍ／ｌの範囲である、請求項１〜１６のいずれか一項に記載のエマルション。
【請求項１８】
請求項１〜１７のいずれか一項に記載の水中油型エマルションを製造する方法であって、
ａ）リン脂質とリン脂質以外の脂質とを混合する工程、
ｂ）ムコミメティックポリマーをバッファーに溶解させる工程、
ｃ）安定化ポリマーを工程ｂ）の水相に溶解させる工程、
ｄ）工程ａ）の油相を工程ｃ）の水相に振盪により分散させる工程、
ｅ）ｐＨを、特に塩基または酸を添加することにより制御および調整し、および／または浸透圧を制御および調整する工程、ならびに
ｆ）このエマルションを滅菌する工程
を含んでなる、方法。
【請求項１９】
エマルションが濾過除菌される、請求項１８に記載の方法。
【請求項２０】
エマルションが０．２２μｍフィルターで濾過される、請求項１９に記載の方法。
【手続補正書】
【提出日】平成26年4月11日(2014.4.11)
【手続補正１】
【補正対象書類名】特許請求の範囲
【補正対象項目名】全文
【補正方法】変更
【補正の内容】
【特許請求の範囲】
【請求項１】
それぞれ、それ自体で、または１つ以上のその他の化合物との混合物として使用される一般式(I)の化合物、および、それらの薬学的に許容される塩、好ましくはナトリウム、カリウム、またはリシン塩等の、フリーラジカルに対する抗酸化活性を備えた医薬または化粧品組成物の製造のための活性成分としての使用：
CH3(-CH=CH)3-R  (I)
式中、RはCO-O-R'またはCO-O(-)から選択され、R'はH、C1〜C22のアルケニルもしくはアルキル、または糖から選択される。
【請求項２】
前記組成物がフリーラジカルの酸化作用に対抗し、ヒト表皮の生理学的状態を保持するための組成物である請求項１に記載の使用。
【請求項３】
前記組成物がフリーラジカルのヒト頭皮への酸化作用に対抗し、髪の生理学的状態を保持するための組成物である請求項１に記載の使用。
【請求項４】
それぞれ、そのまま、または１つ以上のその他の化合物との混合物として使用される一般式(I)の化合物、および、それらの薬学的に許容される塩、好ましくはナトリウム、カリウム、またはリシン塩等の、フリーラジカルに対する抗酸化活性を備えた化粧品組成物の製造のための使用：
CH3(-CH=CH)3-R  (I)
式中、RはCO-O-R'またはCO-O(-)から選択され、R'はH、C1〜C22のアルケニルもしくはアルキル、または糖から選択される。
【請求項５】
活性成分が、それぞれ、それ自体で、または１つ以上のその他の化合物との混合物として使用される一般式(I)の化合物、および、それらの薬学的に許容される塩、好ましくはナトリウム、カリウム、またはリシン塩等である、フリーラジカルに対する抗酸化活性を提供する組成物。
【請求項６】
前記活性成分が、2,4,6-オクタトリエン酸である請求項５に記載の組成物。
【請求項７】
前記活性成分が2,4,6-オクタトリエン酸塩である請求項５に記載の組成物。
【請求項８】
前記活性成分が2,4,6-オクタトリエン酸ナトリウム塩である請求項７に記載の組成物。
【請求項９】
前記活性成分が2,4,6-オクタトリエン酸カリウム塩である請求項７に記載の組成物。
【請求項１０】
前記活性成分が2,4,6-オクタトリエン酸L-リシン塩である請求項７に記載の組成物。
【請求項１１】
前記活性成分が2,4,6-オクタトリエン酸エチルエステルである請求項５に記載の組成物。
【請求項１２】
前記活性成分が２つ以上の一般式(I)の化合物の混合物である請求項５に記載の組成物。
【請求項１３】
請求項５〜１２のいずれか一項に記載の組成物であって、0.0003〜0.0036 mol/100gの範囲の量の前記活性成分を含む組成物。
【請求項１４】
請求項５〜１３のいずれか一項に記載の組成物であって、ヒトの皮膚または頭皮への局所適用のための適切な賦形剤とともに調製された前記活性成分を含む組成物。
【請求項１５】
請求項５〜１４のいずれか一項に記載の組成物であって、フリーラジカルの酸化作用に対抗し、ヒト表皮の生理学的状態を保持するための組成物。
【請求項１６】
請求項５〜１４のいずれか一項に記載の組成物であって、フリーラジカルのヒト頭皮への酸化作用に対抗し、髪の生理学的状態を保持するための組成物。
【誤訳訂正書】
【提出日】平成26年9月30日(2014.9.30)
【誤訳訂正１】
【訂正対象書類名】特許請求の範囲
【訂正対象項目名】全文
【訂正方法】変更
【訂正の内容】
【特許請求の範囲】
【請求項１】
少なくとも一種のアクリル増粘剤と少なくとも一種の油を含有する無水マスカラにおいて、
前記アクリル増粘剤が、
水素化ポリデセンを伴うアクリル酸ナトリウム／アクリロイルジメチルタウリン酸ナトリウム共重合体、又は
ポリアクリレートクロスポリマー６
である、無水マスカラ。
【請求項２】
前記少なくとも一種の油が揮発性油をさらに含む、請求項１に記載のマスカラ。
【請求項３】
少なくとも一種の着色剤をさらに含有する、請求項１又は２に記載のマスカラ。
【請求項４】
少なくとも一種のアクリル増粘剤と少なくとも一種の油が、１：２〜１：２０の重量比で存在している、請求項１から３の何れか一項に記載のマスカラ。
【請求項５】
アクリル増粘剤が、マスカラの重量に対して０．１〜２０重量％の量で存在している、請求項１から４の何れか一項に記載のマスカラ。
【請求項６】
請求項１から５の何れか一項に記載の無水マスカラを睫に適用することを含む、睫のメークアップ方法。
【請求項７】
請求項１から５の何れか一項に記載の無水マスカラを睫に適用することを含む、睫のボリュームを増す方法。
【請求項８】
請求項１から５の何れか一項に記載の無水マスカラを除去する方法であって、マスカラに、該マスカラを睫から除去するのに十分な量の水を適用することを含む方法。
【誤訳訂正２】
【訂正対象書類名】明細書
【訂正対象項目名】００４０
【訂正方法】変更
【訂正の内容】
【００４０】
適切な油には、揮発性及び／又は非揮発性油が含まれる。このような油は、限定されるものではないが、シリコーン油及び／又は炭化水素油を含む任意の許容可能な油でありうる。
【誤訳訂正３】
【訂正対象書類名】明細書
【訂正対象項目名】００４９
【訂正方法】変更
【訂正の内容】
【００４９】
本発明の好ましい実施態様では、油は、シリコーン油及び／又は炭化水素である、高粘度の油である。「高粘度」とは、２５℃で２５０ｃＳｔ以上の粘度を有することを意味する。
【誤訳訂正４】
【訂正対象書類名】明細書
【訂正対象項目名】００５１
【訂正方法】変更
【訂正の内容】
【００５１】
このような炭化水素油の適切な例には、限定されるものではないが、５００ｇ／ｍｏｌ以上、例えば６００ｇ／ｍｏｌ以上、例えば６５０ｇ／ｍｏｌ以上の分子量を有する流体が含まれる。「炭化水素」化合物とは、主として、炭素と水素原子、場合によってはヒドロキシル、エステル、エーテル及びカルボキシル官能基から選択される一又は複数の官能基を有する化合物を意味する。一態様では、これらの化合物は、−−Ｓｉ−−Ｏ−−基を欠いている。炭化水素流体の適切な例には、限定されるものではないが、ポリブチレン、例えばインドポール(Indopol)Ｈ-１００(分子量すなわちＭＭ＝９６５ｇ／ｍｏｌ)、インドポールＨ-３００(ＭＭ＝１３４０ｇ／ｍｏｌ)、及びインドポールＨ-１５００(ＭＭ＝２１６０ｇ／ｍｏｌ)で、アモコ社(Amoco)から販売又は製造されているもの；水素化ポリイソブテン、例えばアモコ社から販売又は製造されているパナラン(Panalane)Ｈ-３００Ｅ(Ｍ＝１３４０ｇ／ｍｏｌ)、シンティール社(Synteal)から販売又は製造されているビシール(Viseal)２００００(ＭＭ＝６０００ｇ／ｍｏｌ)、及びウィトコ社(Witco)から販売又は製造されているレウォパールＰＩＢ１０００(ＭＭ＝１０００ｇ／ｍｏｌ)；ポリデセン類及び水素化ポリデセン類、例えばモービルケミカル社(Mobil Chemicals)から販売又は製造されているピュアシン(Puresyn)１０(ＭＭ＝７２３ｇ／ｍｏｌ)及びピュアシン１５０(ＭＭ＝９２００ｇ／ｍｏｌ)；エステル、例えば３０〜７０の範囲の全炭素数を有する直鎖状の脂肪酸エステル、例えばテトラペラルゴン酸ペンタエリトリチル(ＭＭ＝６９７．０５ｇ／ｍｏｌ)；ヒドロキシエステル、例えばリンゴ酸ジイソステアリル(ＭＭ＝６３９ｇ／ｍｏｌ)；芳香族エステル、例えばトリメリト酸トリデシル(ＭＭ＝７５７．１９ｇ／ｍｏｌ)；Ｃ２４-Ｃ２８の分枝状脂肪酸又は脂肪アルコールのエステル、例えば欧州特許第A-0 955039号に記載されているもの、特にクエン酸トリイソセチル(ＭＭ＝８５６ｇ／ｍｏｌ)、テトライソノナン酸ペンタエリトリチル(ＭＭ＝６９７．０５ｇ／ｍｏｌ)、トリイソステアリン酸グリセリル(ＭＭ＝８９１．５１ｇ／ｍｏｌ)、グリセリル-２-トリデシルテトラデカノアート(ＭＭ＝１１４３．９８ｇ／ｍｏｌ)、テトライソステアリン酸ペンタエリトリチル(ＭＭ＝１２０２．０２ｇ／ｍｏｌ)、ポリ-２-グリセリルテトライソステアラート(ＭＭ＝１２３２．０４ｇ／ｍｏｌ)、及びペンタエリトリチル-２-テトラデシルテトラデカノアート(ＭＭ＝１５３８．６６ｇ／ｍｏｌ)；及びそれらの混合物が含まれる。また適切なエステル油は、Ｒ１が７〜１９の炭素原子を含む、１〜４０の炭素原子を有する直鎖状又は分枝状の高級脂肪酸残基を表し、Ｒ２が３〜２０の炭素原子を含む、１〜４０の炭素原子を有する分枝状の炭化水素ベース鎖を表し、Ｒ１＋Ｒ２≧１０である、式Ｒ１ＣＯＯＲ２に記載されているもの、例えばプルセリン油(オクタン酸セトステアリル）、イソノナン酸イソノニル、Ｃ１２ないしＣ１５の安息香酸アルキル、ミリスチン酸イソプロピル、２-エチルヘキシルパルミタート、及びアルコール又は多価アルコールのオクタノアート、デカノアート又はリシノレアート；ヒドロキシル化エステル、例えば乳酸イソステアリル又はリンゴ酸ジイソステアリル；及びペンタエリトリトールエステルであってよい。特に好ましいエステルは、リンゴ酸ジイソステアリルである。
【誤訳訂正５】
【訂正対象書類名】明細書
【訂正対象項目名】００７７
【訂正方法】変更
【訂正の内容】
【００７７】
実験結果
除去性に対する感水性物質の効果
マスカラを疑似睫に適用し、１時間乾燥させた。ついで、疑似睫を水に１５分浸した。感水性０％の物質処方物(比較例)では、マスカラは疑似睫上に残存しており、水は透明であった。類似の結果が５％のポリソルベート８０を含有する組成物でも見出された。７．５％のシムルゲルを含有する処方物について、マスカラは部分的に水で除去された。５％のViscup-EZを含有する本発明を代表する処方物では、より良好な除去性が見出され：より高い％のマスカラが水で膨張し、チューブ形状を形成した。